(57)【要約】【課題】土留め壁側から断熱壁や防振壁の貫通孔に水が流れ込むのを阻止する。【解決手段】支持ビット１４は、一端にタップねじ部１６を設け、他端に連結ねじ部２２を設けている。タップねじ部１６は土留め壁材１２にねじ込まれる。連結ねじ部２２は調整パイプ２４と連結される。工具掛け部２０のタップねじ部１６側にワッシャ部１８が設けられている。ワッシャ部１８は支持ビット１４と一体化されている。支持ビット１４に、パッキングリング３０が装着され、その貫通孔３６に工具掛け部２０がはまり込んでいる。工具掛け部２０の連結ねじ部２２側には、加圧ワッシャ２６が装着される。加圧ワッシャ２６の貫通孔３４は、支持ビット１４の連結ねじ部２２を貫通させ、かつ、工具掛け部２０を通さない大きさに選定されている。加圧ワッシャ２６の凹部３８には、ブチルゴムリング２８が収容され、防振壁等に密着している。【選択図】図１
2015014082.tif 000002
【特許請求の範囲】
【請求項１】
以下の構成要素を含むコンクリート型枠の防水支持構造。
（ａ）  支持ビットは一端にタップねじ部を設け、他端に連結ねじ部を設けている。
（ｂ）  上記タップねじ部は土留め壁材を貫通するようにねじ込まれている。
（ｃ）  上記連結ねじ部は調整パイプと連結される。
（ｄ）  上記支持ビットの中間に工具掛け部が設けられている。
（ｅ）  上記工具掛け部のタップねじ部側に、工具掛け部より大径のワッシャ部が設けられている。
（ｆ）  上記ワッシャ部は支持ビットとの間で隙間を持たないように一体化されている。
（ｇ）  上記調整パイプは内壁材の貫通孔を通過して、端部でコンクリート型枠を支持する。
（ｈ）  上記内壁材は上記土留め壁材とコンクリート壁との間に配置される。
（ｉ）  上記土留め壁材にねじ込まれた状態の支持ビット１４にパッキングリングが装着される。
（ｊ）  上記パッキングリングの貫通孔には工具掛け部がはまり込んでいる。
（ｋ）  上記工具掛け部の連結ねじ部側には、加圧ワッシャが装着されている。
（ｍ）  上記加圧ワッシャの貫通孔は、支持ビットの連結ねじ部を貫通させ、かつ、工具掛け部を通さない大きさに選定されている。
（ｎ）  上記加圧ワッシャの凹部には、ブチルゴムリングが収容されている。
（ｏ）  上記ブチルゴムリングは、上記内壁材の貫通孔の周囲を囲むように、内壁材に密着している。
（ｐ）  上記加圧ワッシャは、上記調整パイプにより上記工具掛け部側に押され、上記パッキングリングを上記加圧ワッシャに押しつけている。
【請求項２】
上記ワッシャ部を除外して、上記パッキングリングが上記加圧ワッシャにより上記土留め壁材に押しつけられていることを特徴とする、請求項１に記載のコンクリート型枠の防水支持構造。
【請求項３】
上記ブチルゴムリングは常温で粘着性が高く柔軟なゴムであって、上記パッキングリングは、上記ブチルゴムリングよりも硬質な弾性体であることを特徴とする請求項１または２に記載のコンクリート型枠の防水支持構造。
【請求項４】
請求項１に記載のコンクリート型枠の防水支持構造に使用される、支持ビットと、加圧ワッシャとブチルゴムリングとパッキングリングとを備え、
上記支持ビットは、一端にタップねじ部を設け、他端に連結ねじ部を設け、中間に工具掛け部を設け、上記工具掛け部のタップねじ部側に、工具掛け部より大径のワッシャ部が設けられていることを特徴とする防水支持構造部品。
【発明の詳細な説明】
【技術分野】
【０００１】
本発明は、土留め壁に沿ってコンクリート壁を形成するとき、土留め壁側からコンクリート壁側に流れ込む水を阻止することができるコンクリート型枠支持部の止水構造に関する。
【背景技術】
【０００２】
土留め壁に沿ってコンクリート壁を形成するときに、土留め壁のＨ鋼にタップねじを固定して、コンクリート型枠を支持することが行われる。その場合に、土留め壁とコンクリート壁の間に防水シートを配置する。土留め壁側からコンクリート壁に地下水圧がかかり、コンクリート壁に水漏れが生じるのを防止するためである。このとき、コンクリート型枠支持のためのボルト等が防水シートを貫通する。その貫通部の水漏れを阻止するための止水装置が開発され実用化されている（特許文献１）（特許文献２）。
【先行技術文献】
【特許文献】
【０００３】
【特許文献１】特開２００９−４１３１３号公報
【特許文献２】特開２０１３−６０７８１号公報
【発明の概要】
【発明が解決しようとする課題】
【０００４】
既知の従来の技術には、次のような解決すべき課題があった。
上記のような土留め壁とコンクリート壁の間に、防水シートだけでなく、断熱壁や防振防音壁を設けることがある。コンクリート型枠支持部は、この断熱壁や防振壁も貫通する。断熱壁や防振壁とともに防水シートを配置すれば、既知の止水構造でコンクリート壁側への水の流入を防止できる。しかしながら、土留め壁側から流れ込む水が断熱壁や防振壁の貫通孔に流れ込むと、断熱性能や防振性能を低下させることがある。
上記の課題を解決するために、本発明は次のようなコンクリート型枠支持部の止水構造を提供することを目的とする。
（１）土留め壁側から断熱壁や防振壁の貫通孔に水が流れ込むのを阻止する。
（２）防振壁については、遮音性の高い支持構造を実現する。
【課題を解決するための手段】
【０００５】
以下の構成はそれぞれ上記の課題を解決するための手段である。
【０００６】
＜構成１＞
以下の構成要素を含むコンクリート型枠の防水支持構造。
（ａ）  支持ビットは一端にタップねじ部を設け、他端に連結ねじ部を設けている。
（ｂ）  上記タップねじ部は土留め壁材を貫通するようにねじ込まれている。
（ｃ）  上記連結ねじ部は調整パイプと連結される。
（ｄ）  上記支持ビットの中間に工具掛け部が設けられている。
（ｅ）  上記工具掛け部のタップねじ部側に、工具掛け部より大径のワッシャ部が設けられている。
（ｆ）  上記ワッシャ部は支持ビットとの間で隙間を持たないように一体化されている。
（ｇ）  上記調整パイプは内壁材の貫通孔を通過して、端部でコンクリート型枠を支持する。
（ｈ）  上記内壁材は上記土留め壁材とコンクリート壁との間に配置される。
（ｉ）  上記土留め壁材にねじ込まれた状態の支持ビット１４にパッキングリングが装着される。
（ｊ）  上記パッキングリングの貫通孔には工具掛け部がはまり込んでいる。
（ｋ）  上記工具掛け部の連結ねじ部側には、加圧ワッシャが装着されている。
（ｍ）  上記加圧ワッシャの貫通孔は、支持ビットの連結ねじ部を貫通させ、かつ、工具掛け部を通さない大きさに選定されている。
（ｎ）  上記加圧ワッシャの凹部には、ブチルゴムリングが収容されている。
（ｏ）  上記ブチルゴムリングは、上記内壁材の貫通孔の周囲を囲むように、内壁材に密着している。
（ｐ）  上記加圧ワッシャは、上記調整パイプにより上記工具掛け部側に押され、上記パッキングリングを上記加圧ワッシャに押しつけている。
【０００７】
＜構成２＞
上記ワッシャ部を除外して、上記パッキングリングが上記加圧ワッシャにより上記土留め壁材に押しつけられていることを特徴とする、構成１に記載のコンクリート型枠の防水支持構造。
【０００８】
＜構成３＞
上記ブチルゴムリングは常温で粘着性が高く柔軟なゴムであって、上記パッキングリングは、上記ブチルゴムリングよりも硬質な弾性体であることを特徴とする構成１または２に記載のコンクリート型枠の防水支持構造。
【０００９】
＜構成４＞
構成１に記載のコンクリート型枠の防水支持構造に使用される、支持ビットと、加圧ワッシャとブチルゴムリングとパッキングリングとを備え、
上記支持ビットは、一端にタップねじ部を設け、他端に連結ねじ部を設け、中間に工具掛け部を設け、上記工具掛け部のタップねじ部側に、工具掛け部より大径のワッシャ部が設けられていることを特徴とする防水支持構造部品。
【発明の効果】
【００１０】
＜構成１の効果＞
土留め壁材を貫通して支持ビットの表面を伝わって流れる水を、ワッシャ部とこれに押しつけられたパッキングリングにより阻止することができる。
＜構成２の効果＞
土留め壁材を貫通して支持ビットの表面を伝わって流れる水を、土留め壁材に押しつけられたパッキングリングにより阻止することができる。
＜構成４の効果＞
内壁材が、パッキングリングと加圧ワッシャとブチルゴムリングを介して土留め壁材に支持される構造をしており、土留め壁材から伝わる振動を減衰させる防振効果を発揮する。
【図面の簡単な説明】
【００１１】
【図１】本発明の止水装置の主要部縦断面図である。
【図２】（ａ）は本発明の止水装置の主要部分解斜視図で（ｂ）は支持ビットの側面図である。
【図３】本発明の止水装置の作用効果の説明図である。
【図４】パッキングリングの変形例を示す縦断面図である。
【図５】ワッシャ部を設けない例の縦断面図である。
【図６】本発明の止水装置の全体構造を示す実施例縦断面図である。
【発明を実施するための形態】
【００１２】
以下、本発明の実施の形態を実施例毎に詳細に説明する。
【実施例１】
【００１３】
図１は、本発明の止水装置の主要部縦断面図である。
土留め壁材１２は土留め壁（図示しない）に設けたＨ鋼柱等である。ここに支持ビット１４をねじ込んで固定する。土留め壁材１２は、支持ビット１４が固定できる壁材であればなんでもよい。土留め壁材１２に内壁材４０を介して、図示しないコンクリート壁を形成する。なお、止水装置の全体構造は最後に図６を用いて説明する。
【００１４】
内壁材４０は、防水壁、断熱壁、防音壁、防振壁等の壁材である。土留め壁とコンクリート壁の間に挟まれるように配置して、遮水をしたり、断熱をしたり、例えば、地下鉄の振動音を遮蔽する防音防振機能を発揮させる。支持ビット１４には調整パイプ２４が連結され、コンクリート壁を形成する工事のためのコンクリート型枠（図示しない）が支持される。支持ビット１４の構造や取り付け構造を図２を参照しながら説明する。
【００１５】
図２は、本発明の止水装置の分解斜視図である。（ａ）は調整パイプ２４とブチルゴムリング２８と加圧ワッシャ２６とパッキングリング３０とを切り離して並べた状態を示す。（ｂ）は支持ビット１４の側面図である。
図の（ｂ）に示すように、支持ビット１４は、一端にタップねじ部１６を設け、他端に連結ねじ部２２を設けている。支持ビット１４はタップ可能な硬質金属で構成される。タップねじ部１６は土留め壁材１２を貫通するようにねじ込まれる。連結ねじ部２２は調整パイプ２４と連結される。調整パイプ２４の内面には、連結ねじ部２２をねじ込むことができるように雌ねじが形成されている。
【００１６】
支持ビット１４の中間に工具掛け部２０が設けられている。支持ビット１４の工具掛け部２０に電動工具を装着して、タップねじ部１６を土留め壁材１２にねじ込む。この実施例では、工具掛け部２０のタップねじ部１６側にワッシャ部１８が設けられている。ワッシャ部１８は支持ビット１４に一体に金属で構成されている。即ち、ワッシャ部１８と工具掛け部２０やタップねじ部１６の間に隙間は存在しない。内壁材４０の貫通孔４１に、調整パイプ２４が挿入され、図の左方でコンクリート型枠（図示しない）を支持する。
【００１７】
土留め壁材１２にねじ込まれた状態の支持ビット１４に、パッキングリング３０が装着される。パッキングリング３０の貫通孔３６には工具掛け部２０がはまり込んでいる。工具掛け部２０の連結ねじ部２２側には、加圧ワッシャ２６が装着される。加圧ワッシャ２６の貫通孔３４は、支持ビット１４の連結ねじ部２２を貫通させ、かつ、工具掛け部２０を通さない大きさに選定されている。加圧ワッシャ２６の凹部３８には、ブチルゴムリング２８が収容されている。
【００１８】
ブチルゴムリング２８は、既知の止水処理に多用されている、常温で粘着性があり、流動しない柔軟なゴムである。一方、パッキングリング３０は、圧縮されると変形する弾性体であって、ブチルゴムリング２８よりも硬質の材料のものがよい。例えば、加硫ゴムやシリコンゴム等が適する。
【００１９】
加圧ワッシャ２６の凹部に配置されたブチルゴムリング２８は、内壁材４０に密着して、空間４４側から内壁材４０の貫通孔４１に水が流れ込むのを阻止する。また、調整パイプ２４を支持ビット１４に連結するときに、調整パイプ２４の端部が加圧ワッシャ２６を工具掛け部２０の方向に押す。加圧ワッシャ２６は、この力でパッキングリング３０をワッシャ部１８や土留め壁材１２に押しつける。こうして、土留め壁材１２とタップねじ部１６の間を通って空間４４側に流れ込む水がパッキングリング３０と工具掛け部２０の間と連結ねじ部２２と調整パイプ２４の間を通って調整パイプ２４の内部に流れ込むのを阻止する。
【００２０】
図３は、本発明の止水装置の作用効果の説明図である。
先に説明したように、何も対策を施さない場合には、（ａ）の矢印Ａのように、土留め壁側から支持ビット１４の表面に沿って調整パイプ２４方向に水が流れ込む。支持ビット１４が土留め壁材１２を貫通しているからである。特許文献１や２の場合、支持ビット１４が土留め壁材１２を貫通していないから、このような問題は生じなかった。ブチルゴムリング２８が内壁材４０に密着していれば十分だった。しかし、矢印Ａのように流れた水は調整パイプ２４の中を通ってコンクリート壁５０側に達する。また、内壁材４０の貫通孔内に水が溜まり、内壁材４０の断熱、防振等の効果を阻害する。そこで、これを阻止するために、（ｂ）のような構造を採用した。
【００２１】
（ｂ）に示す支持ビット１４のワッシャ部１８は、支持ビット１４と隙間なく一体化しており、これらの間から水が漏れることはない。（ｂ）に示すように、調整パイプ２４に支持ビット１４をねじ込むと、調整パイプ２４の端部が加圧ワッシャ２６を押し、加圧ワッシャ２６がパッキングリング３０をワッシャ部１８に押しつけるように圧縮する。パッキングリング３０とワッシャ部１８との接触面積と面圧とを適切に選定すると、水の流れを完全に阻止することができる。
【００２２】
さらに、例えば、地下鉄の振動が支持ビット１４に伝わったとき、支持ビット１４と内壁材４０とが硬質な面で接触して内壁材４０を支持していると、内壁材４０が共振してしまう。図３（ｂ）に示すように、内壁材４０と土留め壁材１２（図１）との間に、パッキングリング３０と加圧ワッシャ２６とブチルゴムリング２８とが順に挟み込まれており、この構造で内壁材４０を弾性的に支持しているから、内壁材４０の共振が抑制され、防振効果を発揮する。特に、パッキングリング３０と加圧ワッシャ２６とブチルゴムリング２８がいずれも音響インピーダンスが大きく異なるため、高い周波数の騒音の伝搬を強力に抑制することができる。
【実施例２】
【００２３】
図４は、パッキングリング３０の変形例を示す縦断面図である。
一体型パッキング４２は、上記の実施例と同様に、硬質ゴム等で構成される。図のように、一体型パッキング４２がワッシャ部１８に強く押しつけられれば、両者の面圧で止水効果を発揮することができる。また、一体型パッキング４２と加圧ワッシャ２６とブチルゴムリング２８とが一体化されているので、取り付け作業工程を簡略化できる。さらに、一体化によりワッシャ部１８に加わる面圧が均一化できる。
【実施例３】
【００２４】
図５は、ワッシャ部１８を設けない例の縦断面図である。
この実施例でも加圧ワッシャ２６とパッキングリング３０とブチルゴムリング２８とが一体化されている。また、加圧ワッシャ２６がパッキングリング３０の中央部を工具掛け部２０に押しつけるので、工具掛け部２０を越えて調整パイプ２４側へ水が流れ込むのを防止できる。
【００２５】
図６は、本発明の止水装置の全体構造を示す実施例縦断面図である。
図のように、止水装置は、土留め壁材１２に一端を固定し、内壁材４０とコンクリート壁５０を貫通して設置される。型枠支持金具４８は調整パイプ２４に連結されて、図示しないコンクリート型枠を支持する。例えば、内壁材４０とコンクリート壁５０の間には、防水シート（図示しない）が挟み込まれる。防水シートの止水構造は、上記の特許文献に記載されたものを採用する。例えば、防水シートや内壁材４０が、内壁材固定具４６と加圧ワッシャ２６により挟まれて固定支持される。内壁材４０の貫通孔４１への水の流入を阻止すれば、内壁材４０の断熱、防振等の機能を設計どおりに維持することができる。
【符号の説明】
【００２６】
１２  土留め壁材
１４  支持ビット
１６  タップねじ部
１８  ワッシャ部
２０  工具掛け部
２２  連結ねじ部
２４  調整パイプ
２６  加圧ワッシャ
２８  ブチルゴムリング
３０  パッキングリング
３２  貫通孔
３４  貫通孔
３６  貫通孔
３８  凹部
４０  内壁材
４１  貫通孔
４２  一体型パッキング
４４  空間
４６  内壁材固定具
４８  型枠支持金具
５０  コンクリート壁
【図１】
2015014082.tif 000003
【図２】
2015014082.tif 000004
【図３】
2015014082.tif 000005
【図４】
2015014082.tif 000006
【図５】
2015014082.tif 000007
【図６】
2015014082.tif 000008